(57)【特許請求の範囲】
【請求項１】
電子部品を有した電子回路と、
筒形状をなす胴体の内側に前記電子回路を収容した状態で前記胴体の少なくとも一端が蓋体で覆われるとともに、前記蓋体と前記胴体とが相互に密着する方向に締結されたケーシングと、
前記蓋体と前記胴体の一端との間に介在して設けられ、前記蓋体と前記胴体との締結に伴い防水性を発揮するシール部材と、
前記蓋体及び前記シール部材を貫通して形成され、前記ケーシングの外側から前記電子部品に対する操作を可能とする接続口と、
前記蓋体の外側から前記接続口に嵌め込まれ、この嵌め込み状態で前記電子部品を隠蔽しつつ前記接続口の周囲で前記シール部材に密着することで防水性を発揮させるキャップと
を備えた電子機器。
【請求項２】
請求項１に記載の電子機器において、
前記電子回路とともに前記電子部品を実装した回路基板と、
前記蓋体に対し、その内面との間に前記シール部材を介在させた状態で取り付けられ、前記接続口に通じる前記キャップの嵌込口が貫通して形成されるとともに前記嵌込口内に前記電子部品を受け入れた状態で前記回路基板を固定する固定部材と、
前記固定部材の前記回路基板に相対する面に前記嵌込口の周囲にて複重をなす環状の溝として形成され、外側の接着溝が前記回路基板と前記固定部材との間を防水しつつ接着するシーリング剤を保持する一方、内側の保護溝が前記嵌込口内への前記シーリング剤の流入を防止する複重防水溝と
をさらに備えた電子機器。
【請求項３】
請求項２に記載の電子機器において、
前記キャップ及び前記固定部材の双方に形成され、前記嵌込口への前記キャップの嵌め込み状態にて互いを締結させる締結手段をさらに備え、
前記キャップは、
前記接続口の周囲で前記シール部材に密着する環状の突起を有することを特徴とする電子機器。
【請求項４】
請求項１から３のいずれかに記載の電子機器の前記ケーシング内を封止樹脂の充填により防水し、前記電子回路により照明器具の点灯に必要な電力の供給を制御する電源装置。
【発明の詳細な説明】
【技術分野】
【０００１】
本発明は、防水構造を有した電子機器、及び、道路灯やトンネル灯等の屋外照明に電力を供給する電源装置に関する。
【背景技術】
【０００２】
この種の電子機器は、例えば屋外への設置を前提とした電源装置に適している。すなわち、屋外に設置される道路灯や防犯灯、トンネル灯等に代表される照明器具は、電柱や壁などの屋外設備に格納された電源装置から電力が供給されることにより、その光源（例えばＬＥＤ）を点灯させることができる。また、光源の点灯態様（例えば、点灯時間帯や照度等）は、設置場所の環境に合わせて制御内容を事前に設定するのが一般的であり、電源装置が駆動されるとその設定内容に基づいて点灯の制御が行なわれる。
【０００３】
このため、電源装置には少なくとも、電源を確保するための入力側ケーブルとともに、照明器具に電力を供給するための出力側ケーブルが接続される。また、照明器具の点灯に関する制御内容は、電源装置に収容されている電子部品にコンピュータ等の機器を外部から接続させることにより設定の変更を行うため、電子部品と外部機器とのインタフェースとなるコネクタも利用可能な状態で設けられる。
【０００４】
このように、電源装置は通常、外部との入出力や機器との接続のためにそのケーシングの一部が開口されることとなる。屋外設備に設置される電源装置は風雨や湿気等の天候による影響を受け易く、仮に水滴が電源装置の内部に浸入すると、電子部品がショートする等の不具合が発生し電源装置を正常に駆動させることができなくなる。したがって、屋外利用を前提とする場合においては、開口部分から電源装置の内部に水分を浸入させないための適切な防水対策が求められる。
【０００５】
ここで、電源部の駆動制御内容をケーシングの外部から書き換えるためのコネクタ（ポート）をケーシングの底部に備え、このコネクタをゴムパッキンで覆うことにより防水性を確保する電源装置が知られている（例えば、特許文献１参照）。
【先行技術文献】
【特許文献】
【０００６】
【特許文献１】特開２０１３−２５４５９８号公報
【発明の概要】
【発明が解決しようとする課題】
【０００７】
上述した公知の電源装置においては、ゴムパッキンによるカバーを収容部に確実に装着させておくことができれば、コネクタに対する防水性を維持することができると考えられる。
【０００８】
しかしながら、このカバーは収容部の開口に押し込むだけの簡易な形状であり、開口に対する密封性は有してはいないため、ゴムパッキンの表面が摩耗したり、カバーの押し込み具合が弱かったりすると、自然とカバーが外れてコネクタが外部に露出し、たちまち防水が困難な状況に陥ることとなる。また、公知の電源装置ではコネクタがケーシングの底部に設けられているため、他の部位に設けられている場合よりは水が付着しにくいものと推測されるが、例えばケーシングの上部や側部に付着した水がケーシングの外面を伝って底面まで至ると、コネクタが水濡れして短絡を起こす虞もある。
【０００９】
この他にも、例えば防水コネクタを用いた方法がある。この場合は、コネクタの利用が電源装置の設置前における数回のみに限定される点を鑑みて、コネクタを利用し終えた後、すなわちコネクタが不要となった後にこれを切断し邪魔にならないように処理を行う。この方法によれば、電源装置の設置段階においてはコネクタ自体が存在しないため水濡れによるショートの心配はないが、防水コネクタの防水構造を実現する上で要するコストが高価であるため、この方法を採用すると電源装置の製造コストが跳ね上がるという問題が生じる。
【００１０】
そこで本発明は、防水性の確保を低コストに実現することができる技術の提供を課題としている。
【課題を解決するための手段】
【００１１】
上記の課題を解決するため、本発明は以下の解決手段を採用する。
【００１２】
すなわち、本発明の電子機器は、電子部品を有した電子回路と、筒形状をなす胴体の内側に電子回路を収容した状態で胴体の少なくとも一端が蓋体で覆われるとともに、蓋体と胴体とが相互に密着する方向に締結されたケーシングと、蓋体と胴体の一端との間に介在して設けられ、蓋体と胴体との締結に伴い防水性を発揮するシール部材と、蓋体及びシール部材を貫通して形成され、ケーシングの外側から電子部品に対する接続を可能とする接続口と、蓋体の外側から接続口に嵌め込まれ、この嵌め込み状態で電子部品を隠蔽しつつ接続口の周囲でシール部材に密着することで防水性を発揮させるキャップとを備えている。
【００１３】
電子機器に設けられている電子部品は、外部から何らかの操作を行う時に用いられる。例えば、電子機器の制御内容の書き換えや印加させる電流量／電圧の増減、或いは電気仕様の変更など、電子機器に対する様々な調整が必要な場合、その作業は、コンピュータ等の外部機器を調整用の電子部品に接続させたり、調整用の電子部品を手で直接操作したりして実施するため、電子機器の内部に収容されている電子部品（電子機器に対する外部からの調整操作を可能とするもの）を外部に露出させなければならない。キャップを設けて電子部品への接続口を開閉自在な構造とすることにより、必要に応じて電子部品を繰り返し利用可能となる。しかしながら、電子部品に対する操作が必要な場面を除いては、電子回路を水濡れから保護してショートの発生を未然に回避すべく、電子機器内部の水密性を確保する必要がある。
【００１４】
上記のような態様による電子機器を、キャップが設けられている蓋体を上に向けて配置すれば、まず蓋体と胴体とがシール部材を挟んで締結されることにより防水性が発揮されるため、これらの接合部分からケーシング内部に水が浸入するのを防止することができる。また、書き換え作業の際には、キャップを取り外して電子部品を露出させ作業用の外部機器を接続口を介して電子部品に接続させることができる一方で、通常稼働時には、キャップを嵌め込み接続口の周囲にキャップを密着させて電子部品が配置されている空間の防水性を確実に維持することが可能となる。
【００１５】
また、電子機器は、電子回路とともに電子部品を実装した回路基板と、蓋体に対し、その内面との間にシール部材を介在させた状態で取り付けられ、接続口に通じるキャップの嵌込口が貫通して形成されるとともに嵌込口内に電子部品を受け入れた状態で回路基板を固定する固定部材と、固定部材の回路基板に相対する面に嵌込口の周囲にて複重をなす環状の溝として形成され、外側の接着溝が回路基板と固定部材との間を防水しつつ接着するシーリング剤を保持する一方、内側の保護溝が嵌込口内へのシーリング剤の流入を防止する複重防水溝とをさらに備えている。
【００１６】
回路基板と固定部材とはシーリング材により接着され、これにより両者に囲まれた空間が防水される。シーリング材が塗布される接着溝は、固定部材におけるキャップの嵌込口の周囲、すなわち電子部品が収まる位置を取り囲んで形成されている。このとき、接着溝に塗布されたシーリング材の塗布具合（塗り斑や過塗布等）によっては、回路基板を固定部材に押し当てて接着させる際に接着溝からシーリング材が溢れ出る場合がある。仮に、溢れ出たシーリング材が内側に向かってキャップの嵌込口まで到達し、その一部に付着すると、キャップを嵌込口に対して完全に嵌め込むことができなくなる。その結果、キャップによる防水性の確保が困難な状況に陥り、内部に配置された電子部品が水濡れしてショートする危険性が生じる。
【００１７】
上記のような態様によれば、シーリング材が塗布される接着溝の内側にはさらに保護溝が形成されているため、回路基板と固定部材とを接着させる際にシーリング材が接着溝から内側に向かい溢れ出た場合でも、これを保護溝が確実にキャッチすることができる。したがって、シーリング材がキャップの嵌込口内に流入して引き起こし得る上述のような不具合を未然に回避することが可能となる。
【００１８】
電子機器はさらに、キャップ及び固定部材の双方に形成され、嵌込口へのキャップの嵌め込み状態にて互いを締結させる締結手段をさらに備えており、キャップは、接続口の周囲でシール部材に密着する環状の突起を有している。
【００１９】
このような態様によれば、キャップに設けられた突起がシール部材を押し込んでこれに密着した状態でキャップを固定部材に確実に締結させることができるため、キャップが固定部材に対してより強固に密封される。したがって、回路基板、固定部材及びキャップによって取り囲まれる電子部品の配置空間における水密性をさらに向上させることが可能となる。
【００２０】
また、本発明の電源装置は、上述した態様による電子機器のケーシング内を封止樹脂の充填により防水し、電子回路により照明器具の点灯に必要な電力の供給を制御する。
このような態様により、ケーシング内の防水性を確保して電子回路を水濡れから保護し、照明器具への電力供給を安定的に実現することが可能となる。
【発明の効果】
【００２１】
以上のように、本発明の電子機器及び電源装置によれば、防水性の確保を低コストに実現することができる。
【図面の簡単な説明】
【００２２】
【図１】一実施形態の電源装置を表す斜視図である。
【図２】一実施形態の電源装置からケーシングの胴体部が取り外された状態を表す斜視図である。
【図３】一実施形態の上蓋ユニット表す斜視図である。
【図４】一実施形態の上蓋ユニットを表す分解斜視図である。
【図５】一実施形態の上蓋ユニットを表す平面図である。
【図６】一実施形態の上蓋ユニットを表す底面図である。
【図７】一実施形態の保持部材と第１基板との接着態様を説明する図である。
【図８】一実施形態のキャップを下側からみた状態を表す斜視図である。
【図９】一実施形態の上蓋ユニットの一部を表す垂直断面図（図５中のＩＸ−ＩＸ線に沿う断面図）である。
【図１０】一実施形態の電源装置を表す垂直断面図（図５中のＸ−Ｘ線に沿う断面図）である。
【図１１】異なる実施形態における上蓋ユニットを表す正面図である。
【発明を実施するための形態】
【００２３】
以下、本発明の実施の形態について、添付の図面を参照しながら説明する。発明の理解を容易とするために、図面上の表現には若干の誇張やデフォルメが含まれる場合がある。
【００２４】
図１は、一実施形態の電源装置１を表す斜視図である。電源装置１は、縦長の略直方体状に形成されたケーシング１０の内部に各種の電子部品（図１には不図示）を収容している。電源装置１は、屋外の環境下に配置されるため、外側を覆うケーシング１０はアルミニウム等の耐食性が高い金属で形成されている。また、電源装置１が道路灯用の電源として用いられる際には支柱の内部等に設置されることとなるため、こうした空間上の制約の下では横幅をできる限り抑えた縦長の形状が採用されている。なお、このような電源装置１は防水性を有した電子機器の一例である。
【００２５】
ケーシング１０は、筒状（角筒状）の胴体１１及び２つの蓋部（下蓋ユニット２０，上蓋ユニット３０）で構成されており、全体として直方体形状をなしている。胴体１１が直方体の４側面をなし、蓋部（下蓋ユニット２０，上蓋ユニット３０）が胴体１１の両端を閉じて直方体の上下面をなしている。上蓋ユニット３０は胴体１１の上端部の四隅に設けられたネジ受け孔（不図示）に対し締結部材１２により締結されて固定され、また下蓋ユニット２０は胴体１１の下端部の四隅に設けられたネジ受け孔（不図示）に対し締結部材２２により締結されて固定されることにより、それぞれ胴体１１の両端の開放面を閉じている。
【００２６】
また、ケーシング１０の内部には、電子部品が収容された状態でケーシング１０の内面と電子部品との間に形成される空間に封止樹脂（不図示）が充填されている。なお、封止樹脂は下蓋ユニット２０との間に多少の空間を残した状態で充填される。これにより、ケーシング１０内部の空間を塞いで密封しつつ電子部品を水密に保護することができる。
【００２７】
上蓋ユニット３０にはキャップ３２が嵌め込まれている。このキャップ３２を取り外すと、ケーシング１０の内部に収容されている電子部品に外部から接続するためのコネクタ（図１には不図示）がその開口から露出する。キャップ３２は密封性に配慮した構造を有しており、これが上蓋ユニット３０に嵌め込まれることにより電源装置１の内部への上方からの水の浸入を防ぎ、コネクタひいては電子部品を水濡れから保護している。
【００２８】
なお、この実施形態では電子部品の一例としてコネクタを取り上げて説明するが、本発明はこれに限定されない。例えば、電流量や電圧量を調整するポテンシャルメータや、電気仕様の変更に用いるスイッチ等が、電子部品としてキャップ３２により保護される位置に配置される場合もある。また、キャップ３２の構造については、改めて後述する。
【００２９】
図２は、電源装置１の内部構造を示すために、封止樹脂が充填される前段階のケーシング１０の胴体１１のみを取り外して表した斜視図である。
上蓋ユニット３０は複数の部材が組み合わされて構成されている。まず、最上部には上蓋外板４０が配置されて上蓋ユニット３０の外殻を構成している。その下には上蓋内板５０、パッキン６０、固定部材７０が順に重ね合わせて配置されている。上蓋ユニット３０の最下部（高さ方向でみてケーシング１０の最も内側）に位置する固定部材７０は、電源装置１の内部に収容される電子部品の配置位置を決定してこれらを支持し、かつ固定する役割を有している。図２に示されるように、固定部材７０に対して第１基板１００が底面側から固定され、第２基板１１０が背面側から固定されるとともに、第３基板１２０が第１基板１００及び第２基板１１０の所定の位置に対し接合されることにより、各基板１００，１１０，１２０が相互に直角に組み合わされる位置に配置され、各基板１００，１１０，１２０同士は電気的に接続されている。なお、ここでは各基板１００，１１０，１２０上の実装部品は図示を省略している（これ以降も同じ）。また、上蓋ユニット３０の構成については、さらに詳しく後述する。
【００３０】
下蓋ユニット２０は、ステンレス（ＳＵＳ）の金属板を曲げ加工した下蓋外板２１の上面に絶縁板２８が重ね合されて構成されている。下蓋外板２１は、２箇所に金属穿孔２６が開口した平板矩形状の部位と下向きに９０°折り曲げられた部位とを有する。絶縁板２８は、下蓋外板２１の平板矩形状の部位の上面に密接して重ね合されている。絶縁板２８は、例えばポリプロピレン等の絶縁性を有する樹脂で形成されており、金属穿孔２６に対応する位置に開口したケーブル孔２７を有している。ケーブル孔２７は、金属穿孔２６の内周面までを覆うことができるよう金属穿孔２６よりも小さく形成された内周から下向きに折れ曲がった形状をなしている。金属穿孔２６及びケーブル孔２７はいずれも、例えば電力供給用のケーブル等を通過させるために設けられた開口である。各金属穿孔２６は金属板を穿孔して形成されるため、その縁にはいわゆる金属バリが突出している。そこで、金属バリとケーブルがこすれ合うことにより被覆が損傷して不具合に至るのを回避すべく、各金属穿孔２６の縁部を保護する目的でこれに対応する位置にケーブル孔２７が形成された絶縁板２８が設けられている。
【００３１】
図３は、上蓋ユニット３０を表す斜視図である。なお、説明の便宜上、以降の説明においては、上蓋ユニット３０として示す図の最下部に第１基板１００を併せて表記する。これは、上蓋ユニット３０と第１基板１００との位置関係の理解を容易にするためであり、実際には第１基板１００が上蓋の一部として機能するものではない。
上蓋ユニット３０は、複数の部材で構成されており、上から順に上蓋外板４０、上蓋内板５０、パッキン６０、固定部材７０が重ね合されている。
【００３２】
上蓋外板４０は、ステンレス（ＳＵＳ）の金属板が上向きに９０°折り曲げられその根元が曲線状（いわゆるアール）に形成された起立部を有し、底面は矩形状に形成されている。上蓋内板５０は、全体が平板矩形状に形成されたステンレス（ＳＵＳ）の金属板であり、上蓋外板４０の下に重ね合されて上蓋外板４０のを底面にて補強する。また、上蓋内板５０の下にはパッキン６０が重ね合されている。パッキン６０は、弾性及び透光性を有するシリコンゴム等の材料で平板矩形状に形成されており、胴体１１（図３には不図示）の上端の開放面を完全に覆い得る大きさを有している。
【００３３】
上蓋外板４０、上蓋内板５０及びパッキン６０は各々の四隅に締結部材（なべ小ねじ）を通すための貫通孔４６を有しており、ケーシング１０の組立過程で貫通孔４６に挿入された締結部材が胴体１１の上端四隅に設けられたネジ受け孔に締結されることにより、上蓋ユニット３０が胴体１１に対して固定される。このとき、胴体１１の上端の開放面を弾性のあるパッキン６０が覆い、その上から金属製の上蓋内板５０及び上蓋外板４０が押し当てられるため、上蓋ユニット３０は胴体１１の上端を隙間なく密着した状態で塞ぐことができ、これらの接合部分からの内部への水の浸入を確実に防止することが可能となる。
【００３４】
固定部材７０は、パッキン６０の底面に密接して配置されるポリブチレンテレフタレート（以下、「ＰＢＴ」と略称する）等の樹脂により形成された部材であり、各基板１００，１１０，１２０の位置決めを行いつつ、これらを支持して固定している。図３に示されるように、例えば第１基板１００は、その底面側から締結部材１０２が締結されることにより固定部材７０に対して固定されている。固定部材７０自身は、締結部材３４が締結されることによって上蓋ユニット３０に固定され、結果としてケーシング１０にも固定されることになる。
【００３５】
また、既に述べたとおり、上蓋ユニット３０に嵌め込まれたキャップ３２を取り外すとコネクタ（図３には不図示）がキャップ貫通孔４２から露出することとなるが、コネクタは第１基板１００の所定の位置に実装されている。このコネクタの位置は、第１基板が固定部材７０によって位置決めされて固定されることにより定まり、その結果コネクタは、キャップ３２及びキャップ貫通孔４２の水平方向の各中心点を通る仮想線上に配置される。
さらに、固定部材７０の側面には、各基板１００，１１０，１２０に設けられた電子部品をケーシング１０に接地（いわゆるＦＧ）させるための接地用治具２００が固定されている。接地用治具２００は、側面の中央部にネジ受け孔２０２を有しており、このネジ受け孔２０２には、ケーシング１０が組み立てられた後で外側から挿入される接地用ネジ（図３には不図示）を締結される。
【００３６】
上蓋外板４０に形成された３つのＬＥＤ透光孔４８は、第１基板１００に設けられたＬＥＤチップ（図３には不図示）の発する光を電源装置１の外側から視認可能としている。ＬＥＤチップは、電源装置１が電力供給を制御する照明機器の稼働状態やライフサイクルを知らせるために設けられたものであり、例えば工場出荷前に行われる動作点検や設置後に行われる保守点検等の段階で担当者がＬＥＤ透光孔４８を視認し、その点灯状態に応じて採るべき措置を講ずることが可能となる。
【００３７】
図４は、上蓋ユニット３０の構造を詳細に表す分解斜視図である。
上蓋ユニット３０の最下部には固定部材７０が配置されている。固定部材７０は、その上面、底面、側面にネジ受け孔を有しており、他の構成部材を各方向から締結させ固定させる。
【００３８】
固定部材７０の底面に固定される第１基板１００は、自身を固定部材７０に対して締結させるための締結部材１０２を通す貫通孔１０４を２つ有している。貫通孔１０４に通された締結部材１０２は、固定部材７０の底面に設けられたネジ受け穴（不図示）に受け入れられて締結される。第１基板１００には外部機器と接続するためのコネクタ１０６及びＬＥＤチップ及びＬＥＤ光源を配置するためのＬＥＤ配置孔１０８が設けられているが、コネクタ１０６は上蓋ユニット３０の上方から接続を可能とし、またＬＥＤ配置孔１０８から発せられる光は上蓋ユニット３０の上方から視認を可能とする必要がある。そのため、第１基板１００の上に直接重ねられる固定部材７０及びさらにその上から重ねられるパッキン６０、上蓋内板５０、上蓋外板４０は、コネクタ１０６及びＬＥＤ配置孔１０８に対応する位置にこれらを受け入れる形状を有している。
【００３９】
まず、固定部材７０のコネクタ１０６に対向する位置にはキャップ固定溝７２が形成されており、パッキン６０，上蓋内板５０，上蓋外板４０の各対応位置にはキャップ貫通孔６２，５２，４２が設けられている。上蓋ユニット３０として重ねられた各部材４０，５０，６０，７０がこのような形状に形成されていることにより、キャップ３２を上蓋ユニット３０に嵌め込んでコネクタ１０６を上方から浸入しようとする水から保護（防水）することができる。また、必要に応じてキャップ３２を外せば、コネクタ１０６に外部機器を接続させて第１基板１００に配された電子部品に記録されている制御内容を適宜書き換えることが可能となる。
【００４０】
また、固定部材７０のＬＥＤ配置孔１０８に対向する位置にはＬＥＤ透光孔７８が形成されており、上蓋内板５０，上蓋外板４０の各対応位置にはＬＥＤ透光孔５８，４８が形成されている。パッキン６０の対応位置には透光孔が設けられていないが、上述のようにパッキン６０はそれ自体が透光性を有する部材で形成されているため、穿孔せずとも下方から届く光を上方に透過させることができる。したがって、上蓋ユニットを構成する各部材４０，５０，６０，７０が重ね合されることにより、ＬＥＤ配置孔１０８から発せられる光を上蓋ユニット３０の外部まで届かせてその点灯状態を上方から視認することが可能となる。
【００４１】
固定部材７０にはさらに、接地用治具２００を締結させる接地用ネジ（図４には不図示）を逃がすための接地用ネジ受け入れ穴８０を側面に有している。接地用治具２００は、相互に直角をなす３つの面が直列に連なったＵ字形状をなしており、このうち固定部材７０に対向する１つの面にはネジ受け穴（雌ねじ）としての貫通孔２０２を有しており、他の相互に対向する２つの面にもネジ受け孔２０４をそれぞれ有している。図示しない接地用ネジは、ケーシング１０の外側からねじ込まれ、接地用治具２００の側面に形成された貫通孔２０２にて締結される。ネジ受け孔２０４は、固定部材７０に対し第２基板１１０（図４には不図示）を背面側から固定させるための締結部材を締結させる。
【００４２】
上蓋外板４０、上蓋内板５０、パッキン６０は、各々を固定部材７０に対して締結させるための締結部材３４を通す貫通孔４４，５４，６４を有しており、これら貫通孔４４，５４，６４は、キャップ貫通孔４２，５２，６２及びＬＥＤ透光孔４８，５８に近接した位置にある。貫通孔４４，５４，６４に通された締結部材３４は、固定部材７０の上面に設けられたネジ受け穴７４（雌ねじ）に受け入れられて締結される。また、各部材４０，５０，６０の四隅には、各々を胴体１１に対して締結させるための締結部材を通す貫通孔４６，５６，６６を有している。貫通孔４６，５６，６６に通された締結部材は、胴体１１の上端四隅に設けられたネジ受け孔に受け入れられて締結される。
【００４３】
図５は、上蓋ユニット３０を表す平面図であり、図５中（Ａ）にはキャップ３２が嵌め込まれた状態が示されており、図５中（Ｂ）にはキャップ３２が取り外された状態が示されている。
【００４４】
図５中（Ａ）：上蓋外板４０の中央部には、キャップ貫通孔４２が左寄りの位置に形成されている。また上蓋外板４０には、一方向（ここでは前後方向）に直列する配置で３つのＬＥＤ透光孔４８が右寄りの位置に形成されている。キャップ貫通孔４２にはキャップ３２が嵌め込まれている。キャップ３２の上面に形成されている六角形の窪みは、キャップ３２を上蓋ユニット３０に嵌め込む際に六角レンチ等の工具をフィットさせる穴である。工具を用いた締結によりキャップ３２の締め付けトルクを適正に調節し、確実な密封性（防水性）を確保することが可能となる。
キャップ貫通孔４２及びＬＥＤ透光孔４８を外側から挟む２箇所には締結部材３４が締結されている。また、上蓋外板４０の上方からは視認できないが、これより下方でキャップ貫通孔４２の左奥側の位置に接地用治具２００及び接地用ネジ２１０が配置されることが分かる。
【００４５】
図５中（Ｂ）：キャップ３２が取り外された開口からはコネクタ１０６が露出している。開口の周囲にはキャップ固定溝７２が形成されており、この溝がキャップ３２に形成されたネジ山と噛み合うことにより、キャップ３２が上蓋ユニット３０に固定される。コネクタ１０６の水平方向における位置はキャップ固定溝７２の中心に一致しており、さらにはここに嵌め込まれるキャップ３２の中心にも一致する。
【００４６】
図６は、上蓋ユニット３０を表す底面図である。
上蓋ユニット３０の最下部に配置された固定部材７０の底面には、第１基板１００が締結部材１０２により２箇所で締結されている。また、前後方向に直列する３つのＬＥＤ透光孔１０８の各底部にはＬＥＤチップ１０３が設けられており、さらにその下側からはシリコン等のシーリング材で形成された保護シール１０１が各ＬＥＤ透光孔１０８及び各ＬＥＤチップ１０３を完全に覆っている。保護シール１０１は、ケーシング１０内部に充填される封止樹脂がＬＥＤ透光孔１０８に流れ込むことにより光路が遮断されるのを防止ししている。
【００４７】
図７は、固定部材７０と第１基板１００との接着態様を説明する図である。このうち、図７中（Ａ）には固定部材７０の底面図が示されており、図７中（Ｂ）には第１基板１００の平面図が示されている。
【００４８】
図７中（Ａ）：固定部材７０の底面には、キャップ固定溝７２の外周から間隔を置いた位置に環状の保護溝８８が形成され、さらにこの溝の外側にも間隔を置いた位置に環状の接着溝８６が形成されている。また、直列する３つのＬＥＤ透光孔７８の周囲にもこれと同様に、環状の保護溝８４及び環状の接着溝８２が複重をなして（ここでは二重に）形成されている。この図では接着溝８２，８６及び保護溝８４，８８はグレーに着色されており、各溝がある程度の幅を有していることが分かる。接着溝８２，８６は、第１基板１００の上面を固定部材７０の底面に接着させる際に用いる接着剤（シーリング剤）が注入される溝である。また、保護溝８４，８８は、接着溝８２，８６から溢れ出た接着剤を受け入れる溝である。
【００４９】
図７中（Ｂ）：第１基板１００の上面が固定部材７０の底面に固定される際に接着溝８２，８６及び保護溝８４，８８に対応する位置が二点鎖線で示されグレーに着色されている。この図から、接着溝８２，８６より内側に形成された保護溝８４，８８は、これらよりも内側に配置されているコネクタ１０６及びＬＥＤ透光孔１０８から間隔を空けた位置に形成されていることが分かる。
【００５０】
第１基板１００を固定部材７０に固定させる際には、各接着溝８２，８６に接着剤を注入した後に第１基板１００の上面を固定部材７０の底面に押し付けて接着させた上で、第１基板１００の底面側から貫通孔１０４に締結部材を通し固定部材７０の底面に設けられたネジ受け孔７６に締結させる。このとき、接着剤の注入具合によっては接着剤が接着溝８２，８６から溢れ出て内側に流れ込む可能性が考えられる。仮にそのような事態が生じ、流れ込んだ接着剤がキャップ固定溝７２やＬＥＤ透光孔７８まで達した場合、キャップ固定溝７２の一部に接着剤が付着してキャップの密封性が確保できなくなったり、或いはＬＥＤ透光孔７８の一部を塞いで発光に影響を及ぼしたりする虞がある。そこで、接着溝８２，８６の内側に保護溝８４，８８を設け、接着溝８２，８６から溢れ出た接着剤が内側に流れ込んだ場合にこれらを受け入れて、さらに内側に流れ込むことがないよう配慮している。
【００５１】
図８は、キャップ３２を斜め下からみた状態を表す斜視図である。
キャップ３２は、上蓋ユニット３０の開口に嵌め込まれる筒状の嵌込部と、その上端を塞ぐ開口より大きな面積を有する天板部とが接合されてなり、これら部位はいずれも、例えばＰＢＴ等の樹脂で形成される。嵌込部の外面には、開口の周囲に形成された溝に嵌め込まれるネジ山３６が形成されている。また、天板部には、嵌込部との接合位置よりも外周寄りの位置に環状の突起３８が形成されている。
電源装置１の使用時には、上蓋ユニット３０の開口にキャップ３２をねじ込むことにより、ネジ山３６が開口の周囲に形成された溝に嵌め込まれていくと同時に、環状突起３８が弾性を有するパッキン６０に押し当てられるため、キャップ３２が完全に嵌め込まれた状態では、環状突起３８がパッキン６０に食い込んだ格好になる。このような構造により、キャップ３２は上蓋ユニット３０に対する水密性を確保し、キャップ３２の内側に位置するコネクタを水濡れから保護することができる。
【００５２】
図９は、キャップ３２が完全に嵌め込まれた状態における上蓋ユニット３０の一部を表す垂直断面図（図５中のＩＸ−ＩＸ線に沿う断面図）である。
この図に示されるように、キャップ３２はコネクタ１０６に覆い被さる位置に配置され、ネジ山３６がキャップ固定溝７２に噛み合うことにより固定部材７０に嵌め込まれ固定されている。また、環状突起３８がパッキン６０に食い込み、外部から水が浸入しうる経路を完全に遮断している。
固定部材７０の底面には、キャップ固定溝７２の外周から外側に間隔を置いた位置に保護溝８８が形成され、ここからさらに間隔を置いた位置に接着溝８６が形成されている。また、ＬＥＤ透光孔１０８の外周から外側に間隔を置いた位置に保護溝８４が形成され、ここからさらに間隔を置いた位置に接着溝８２が形成されている。内側に形成された保護溝８４，８８は、外側に形成された接着溝８２，８６よりも深く抉られており、接着溝８２，８６から内側に溢れ出た接着剤を十分に受け入れ可能であることが分かる。
【００５３】
また、ＬＥＤ透光孔１０８の底部に配置されたＬＥＤチップ１０３の上にはＬＥＤ光源１０５が載せられており、ＬＥＤ光源１０５の上方の空間はパッキン６０を除いて開放されている。このような配置により、ＬＥＤ光源１０５が発した光が透光性を有するパッキン６０を透過してさらに上方に放出されるため、ＬＥＤ光源１０５の点灯状態を上蓋ユニット３０の上方から視認することができる。
ＬＥＤ透光孔１０８はＬＥＤチップ１０３と併せて第１基板１００の底面側から保護シール１０１により覆われており、第１基板１００の底面側に充填されることとなる封止樹脂の浸入から保護されている。
【００５４】
図１０は、電源装置１の全体構造を簡略的に表す垂直断面図（図５中のＸ−Ｘ線に沿う断面図）である。
電源装置１は、上蓋ユニット３０、胴体１１、下蓋ユニット２０により囲まれた内部空間１４０に３枚の基板（第１基板１００、第２基板１１０、第３基板１２０）を収容している。これらの各基板１００，１１０，１２０は、上蓋ユニット３０の一部をなす固定部材７０に対して直接的又は間接的に固定されることにより内部空間１４０における位置が決まるとともに、各基板１００，１１０，１２０間が相互に電気的に接続される。また、固定部材７０はその側部で接地用治具２００を支持している。接地用治具２００は、電源装置１を組み立てる終盤、すなわち上蓋ユニット３０を胴体１１に対して締結部材１２で締結させた後で、且つケーシングの内部に形成された内部空間１４０に対し封止樹脂１５０が充填される前の段階で、胴体１１の外側から挿入される接地用ネジ２１０を受け付けて締結させることにより、各基板１００，１１０，１２０に設けられた電子部品をケーシング（胴体１１）に接地させる。
【００５５】
固定部材７０はさらに、第１基板１００に設けられたコネクタ１０６を取り囲む位置にキャップ固定溝７２を有しており、通常時はこの固定溝７２にキャップ３２が嵌め込まれている。キャップ３２の内側に設けられた環状突起３８をパッキン６０に食い込ませることによりキャップ３２により塞がれる空間の水密性をより確実なものとし、コネクタ１０６を水濡れから保護している。また、パッキン６０は、上蓋ユニット３０と胴体１１との接合部分を隙間なく密着させて水の浸入を防止する役割も果たしている。
電源装置１の完成状態では、封止樹脂１５０が下蓋ユニット２０の内面との間の多少の空間を残した状態で内部空間１４０のほぼ全体を埋め尽くして密封し、各電子基板の中空部分を安定した状態に保持しつつその表面を保護する。
【００５６】
以上のように、電源装置１は、内部空間１４０に収容される電子部品に対する防水構造を構成部材全体で実現している。各構成部材の材料はいずれも一般的な電源装置に用いられるものであり、特別な材料や部品は採用して防水化を図ったものではない。例えば、従来技術で述べた防水型コネクタを使用する場合には、防水加工にある程度のコストを要するため製造コストが増大する点が課題となる。これに対し本実施態様においては、上述したような構成によって防水性の確保を低コストに実現することが可能である。
【００５７】
図１１は、異なる実施形態の電源装置における上蓋ユニットを表す正面図である。
図１１中（Ａ）：低背型の電源装置における上蓋ユニット２３０を表す正面図である。ここで「低背型」とは、設置場所の空間上の制約等により短手方向の寸法（上述の実施形態における電源装置１でいうと横幅）が小さく抑えられた形状を採用したタイプを指す。上述の実施形態における上蓋ユニット３０と比較してみると、上蓋ユニット２３０においてはその最上部に配置された上蓋外板１４０の横幅が小さく抑えられており、起立部の外側面が上蓋内板５０及びパッキン６０の各端部と一直線上に揃えて配置されている。この場合、上蓋外板１４０の起立部の根元に形成された曲線形状によってパッキン６０の端部に対する上蓋外板１４０による押圧力が弱まる。しかしながら、上蓋外板１４０とパッキン６０との間には上蓋内板５０が配置されており、上蓋内板５０の端部がパッキン６０の端部を押し込むことができるため、低背型としたことにより低下する上蓋外板１４０による押圧力を上蓋内板５０が十分に補強し、上蓋ユニット３０の場合と同様に胴体１１の上端にパッキン６０を押し当てて圧着させた圧着させた状態で塞ぐことが可能となる。
【００５８】
図１１中（Ｂ）：さらに異なる実施形態の電源装置における上蓋ユニット３３０を表す正面図である。この上蓋ユニット３３０は、電源装置１の上蓋ユニット３０と同様に、その最上部に配置された上蓋外板４０の起立部の外側面がパッキン６０の端部よりも外側に突出している。そのため、パッキン６０に対しては矩形状の底面のみが対向しその両端部を押し込むことができる。したがって、上蓋内板５０による押圧力の補強がなくとも十分に胴体１１の上端にパッキン６０を圧着させた状態で塞ぐことができるため、上蓋内板５０を介在させない構成としている。このような構成を採ることにより、ケーシング１０の材料及び組立に要するコストを効果的に抑制することが可能となる。
【００５９】
以上のように、上述の実施形態による電源装置１によれば、上蓋ユニット３０と胴体１１とがパッキン６０挟んで締結されることにより防水性が発揮され、これらの接合部分からケーシング１０の内部に水が浸入するのを防止することができる。また、コネクタ１０６を使用する際には、キャップ３２を取り外してコネクタ１０６を露出させ作業用の外部機器をコネクタ１０６に接続させることができる一方で、電源装置１の通常稼働時には、キャップ３２を嵌め込み上蓋ユニット３０にキャップ３２を密着させてコネクタ１０６が配置されている空間の防水性を確実に維持することが可能となる。
【００６０】
また、シーリング材が塗布される接着溝８６の内側に保護溝８８が形成されているため、第１基板１００と固定部材７０とを接着させる際にシーリング材が接着溝８６から内側に向かい溢れ出た場合でも、これを保護溝８８が確実にキャッチすることができる。したがって、シーリング材のキャップ固定溝７２への流入を回避しキャップ固定溝７２に対してキャップ３２を強固に締結させることが可能となる。
【００６１】
さらに、キャップ３２をキャップ固定溝７２に締結させると、キャップ３２に設けられた環状突起３８がパッキン６０を押し込みこれに密着した状態で固定部材７０に固定されるため、キャップ３２で塞がれる空間がさらに確実に密封される。したがって、第１基板１００、固定部材７０及びキャップ３２によって取り囲まれるコネクタ１０６の配置空間における水密性をより一層向上させることが可能となる。
【００６２】
以上のような構造により、ケーシング１０内の防水性を確保して電源装置１の内部に収容された電子部品（コネクタ１０６、各基板１００，１１０，１２０等）を水濡れから保護して、照明器具に対して安定的に電力を供給することが可能となる。
【００６３】
本発明は、上述した実施形態に制約されることなく、種々に変形して実施することが可能である。例えば、金属穿孔２６の金属バリ対策として設けた絶縁板２８は、下蓋外板２１の平板矩形状の部位全体を覆うとともに金属穿孔２６に対応する位置にケーブル孔２７を開口させつつ金属穿孔２６の内周面まで食い込ませてその縁部を立体的に覆う形状としたが、これに限定されず、金属バリの状況やコストとの兼ね合い等により他の形状を採用することも可能である。例えば、金属穿孔２６の縁部のみを覆って保護する断面凸型（周方向）のグロメットを用いてもよい。また、これをさらに簡易化し、グロメットの内周側が金属穿孔２６の内周面に食い込まない平型タイプの部材を金属穿孔２６の縁部に被せてもよい。
【００６４】
キャップ３２は、ネジ山３６をキャップ固定溝７２に噛み合わせてねじ込むことにより上蓋ユニット３０の開口を密封しているが、開口の密封が可能ならば他の機構を採用してもよい。例えば、ネジ山３６に替えてこの部位をゴム等の弾性素材で形成すると同時に、キャップ固定溝７２に替えてこの部位を平面形状の口部とし、キャップ３２を口部に圧入させることにより開口を密封する圧栓型とすることも可能である。より確実に密封性を維持するために、圧栓させたキャップの上から着脱可能な金具等で固定させてもよい。
【００６５】
また、キャップ３２及び固定部材７０の材料には、いずれも一例としてＰＢＴを挙げているが、これに限定されず、形状安定性や絶縁性等の面において所望の性能を発揮し得る材料であれば、他の材料を適宜選択可能である。
【００６６】
ケーシング１０の内部は、収容された電子部品との間に形成される空間に充填される封止樹脂１５０により電子部品を水濡れから保護している。ここで、ケーシング１０側面の内側、すなわち胴体１１内側の接地に関わる部位等を除く領域に絶縁性材料で形成された絶縁側壁を設けてこの内側に電子部品を収容することとし、絶縁側壁と電子部品との間に形成される空間に封止樹脂１５０を充填してもよい。
【００６７】
胴体１１の両端を閉じる蓋ユニット２０，３０においては、上蓋ユニット３０はその一部にパッキン６０を配置し胴体１１の上端の接合部分を隙間なく密着させ水密性を高めた一方、下蓋ユニット２０はパッキン６０を用いない構成とした。これは、位置関係を考慮して採用した構成である（下から上に向かって水が浸入する可能性が低く下蓋ユニット２０は上蓋ユニット３０ほどの水密性の確保が不要と判断した）が、下蓋ユニット２０にもパッキン６０を含めてさらに水密性を高めてもよい。
【符号の説明】
【００６８】
１    電源装置
１０    ケーシング
１１    胴体
１２，２２，３４，１０２    締結部材
２０    下蓋ユニット
２１    下蓋外板
２４，４４，４６，５４，５６，６４，６６，１０４，１１４，２０２    貫通孔
２６    金属穿孔
２７    ケーブル孔
２８    絶縁板
３０，２３０，３３０    上蓋ユニット
３２    キャップ
３６    ネジ山（締結手段）
３８    環状突起
４０，１４０    上蓋外板
４２，５２，６２    キャップ貫通孔（接続口）
４８，５８，７８    ＬＥＤ透光孔
５０    上蓋内板
６０    パッキン（シール部材）
７０    固定部材
７２    キャップ固定溝（締結手段）
７４，７６，２０４    ネジ受け穴
８０    接地用ネジ受け入れ穴
８２    接着溝
８４    保護溝
８６    接着溝（複重防水溝）
８８    保護溝（複重防水溝）
１００    第１基板（回路基板）
１０１    保護シール
１０３    ＬＥＤチップ
１０５    ＬＥＤ光源
１０６    コネクタ（電子部品）
１０８    ＬＥＤ配置孔
１１０    第２基板
１２０    第３基板
１４０    内部空間
１５０    封止樹脂
２００    接地用治具
２０２    ネジ受け孔
２１０    接地用ネジ
【図１】
0006356113.tif 000002
【図２】
0006356113.tif 000003
【図３】
0006356113.tif 000004
【図４】
0006356113.tif 000005
【図５】
0006356113.tif 000006
【図６】
0006356113.tif 000007
【図７】
0006356113.tif 000008
【図８】
0006356113.tif 000009
【図９】
0006356113.tif 000010
【図１０】
0006356113.tif 000011
【図１１】
0006356113.tif 000012